Podtech/llm-jp-corpus-v4-ja_patent huggingface dataset:
(57)【要約】【課題】自動二輪車の走行中に受ける風の力で風力発電装置を作動させ、これによって得られた電力でモーターを駆動させるようになる風力による自動二輪車の提供。【解決手段】ハンドルの前方位置に、風車１及び発電機２を適宜の手段で設置し、自動二輪車の走行中に受ける風力で前記風車１を回転し、この風車１の回転で前記発電機２を作動させて発電を行い、モーターを駆動させるようにした。【選択図】図１
2004245207.tif 000002
【特許請求の範囲】
【請求項１】
ハンドルの前方位置に、風車１及び発電機２を適宜の手段をもって設置し、自動二輪車の走行中に受ける風力で前記風車１を回転し、この風車１の回転で前記発電機２を回転作動させて発電を行うようになる風力発電による自動二輪車。
【請求項２】
前輪のドロヨケ４上に特設したベース盤３上に、前記風車１及び発電機２を設置するようになる請求項１記載の風力発電による自動二輪車。
【請求項３】
自動二輪車の前ホーク５に、ベース盤６を設け、該ベース盤６上に、前記風車１及び発電機２を設置するようになる請求項１記載の風力発電による自動二輪車。
【請求項４】
前記風車１は、周囲が保護カバー７で覆われていることを特徴とする請求項１、２、３記載の風力発電による自動二輪車。
【請求項５】
自動二輪車の前ホーク５上にあるハンドルポスト８に、ベアリング筒９を装着し、該ベアリング筒９と、自動二輪車のボディーフレームに保護フレーム１０の端部を取付け、該保護フレーム１０は側方に突出し、この突出幅は少なくとも前記保護カバー７より若干突出した状態に設定するようにした請求項１、２、３、４記載の風力発電による自動二輪車。
【発明の詳細な説明】
【０００１】
【発明の属する技術分野】
本発明は、自動二輪車の走行中に受ける風の力で風力発電装置を作動させ、これによって得られた電力で自動二輪車に搭載してあるモーターを駆動させるようになる風力発電による自動二輪車に関するものである。
【０００２】
【従来の技術】
近年、環境汚染の改善目的及び省エネルギー対策等から風力を使った発電装置が注目されているが、風力発電によって走行する自動二輪車は皆無である。
【０００３】
【発明が解決しようとする課題】
自動二輪車は、四輪自動車に比してボデー全体が小さく、発電装置の設置場所が難しく、少なくとも走行中の風の力で風車を回転させ、そしてこの回転力で発電装置を作動させるようになる点からして自動二輪車の前面に風車を含む発電装置を搭載する必要がある。本発明は、このような点に鑑み、前輪のドロヨケ或いは前ホークを有効的に活用することによって風車を含む発電装置をハンドルの前方に設置し、風の力を最大限利用し得るようになる風力発電による自動二輪車の提供を目的としたものである。
【０００４】
【課題を解決するための手段】
本発明は、前記の目的を達成する手段として、ハンドルの前方位置に、風車１及び発電機２を適宜の手段をもって設置し、自動二輪車の走行中に受ける風力で前記風車１を回転し、この風車１の回転で前記発電機２を回転作動させて発電を行うようになり、前輪のドロヨケ４上に特設したベース盤３上に、前記風車１及び発電機２を設置し、又、自動二輪車の前ホーク５に、ベース盤６を設け、該ベース盤６上に、前記風車１及び発電機２を設置し、前記風車１は、周囲が保護カバー７で覆われており、さらに、自動二輪車の前ホーク５上にあるハンドルポスト８に、ベアリング筒９を装着し、該ベアリング筒９と、自動二輪車のボディーフレームに保護フレーム１０の端部を取付け、該保護フレーム１０は側方に突出し、この突出幅は少なくとも前記保護カバー７より若干突出した状態に設定するようにした。
【０００５】
【発明の実施の形態】
本発明の具体的な構成を図にもとづいて説明すると、自動二輪車の前車輪のドロヨケ４上にベース盤３を取付け、該ベース盤３上に発電機２及び風車１を設置し、又、必要に応じて風車１の回転力を高めて発電機２に伝動する場合は変速装置１２を介在させることもある。つぎに、自動二輪車の前ホーク５上にベース盤６を取付け、支持杆１１をもって支承し、このベース盤６上に前記風車１、発電機２並びに変速装置１２を設置することも可能である。前記風車１は危険防止のため周囲を保護カバー７によって包囲することが望ましく、又、自動二輪車が転倒した際に、前記風車１の損壊を防止するために、横方向に突出する保護フレーム１０を設置することが望ましく、この保護フレーム１０は、前記前ホーク５上にあるハンドルポスト８に装着したベアリング筒９にその一端を連結し、他端は自動二輪車のボデーフレーム等に取付け、そして横方向には前記保護カバー７より若干外側に突出するように設定し、自動二輪車の転倒時に、該保護フレーム１０の突出部が接地し、保護カバー７を保護する働きをするようになる。保護フレーム１０は、前ホーク５上のハンドルポスト８に装着したベアリング筒９にその一端を取付けてあるため、前ホーク５を含むハンドルの回転に何等支障をきたすことがなく、ハンドルは円滑に回転するようになる。
【０００６】
【発明の効果】
本発明によれば、以下に列挙する諸効果が得られる。
（１）自動二輪車の走行中に受ける風の力で風車１を回転し、この風車１の回転によって発電機２を作動させて電力を発生させ、この電力によってモーターを駆動させて自動二輪車を走行させるようになるため、排ガスの発生は全くなく、環境汚染防止並びに省エネルギー対策として実に有益である。
（２）風車１及び発電機２は自動二輪車のハンドル前方に設置するようになり、走行中の風が風車１に万遍なく渡り、風車１を確実に回転して優れた発電効果が得られ、しかもモーターの回転で走行するものであるため排気音の騒音がなくなり、騒音対策も非常に有益である。
（３）風車１及び発電機２は、前車輪のドロヨケ４或いは前ホーク５に取付けたベース盤３、６上に設置するようになり、走行中の風を受け易く、風車１を効率よく回転させることができる。
（４）風車１は保護カバー７に覆われているため、危険防止に有益であり、又保護フレーム１０を装着してあるため、転倒時の保護カバー７並びに風車１の損壊防止に有益である。
【図面の簡単な説明】
【図１】本発明に係わる自動二輪車の斜視図
【図２】同じく斜視図
【図３】平面図
【図４】保護フレームの取付構造を示す断面図
【符号の説明】
１    風車
２    発電機
３    ベース盤
４    ドロヨケ
５    前ホーク
６    ベース盤
７    保護カバー
８    ハンドルポスト
９    ベアリング筒
１０  保護フレーム
【図１】
2004245207.tif 000003
【図２】
2004245207.tif 000004
【図３】
2004245207.tif 000005
【図４】
2004245207.tif 000006
(57)【要約】【課題】本発明は、手や、床を汚さず、又、簡単かつ安全に給油が出来る、キャップ付給油ポンプに関するものである。【課題解決】給油ポンプ１の、夫々のホースの上部と下部に、キャップ２、３を取り付けることにより、ポリタンク４に装着、維持を可能にし、かつ、キャップ３の内側と、下部淵部に、磁石板７、６を装着した、キャップ付給油ポンプである。【選択図】  図１
2004245208.tif 000002
【特許請求の範囲】
【請求項１】
給油ポンプ１の夫々のホースの上部と下部に、キャップ２と３を取り付けた、キャップ付給油ポンプ。
【請求項２】
キャップ３の内側と、下端淵部に、磁石板７、６を装着した請求項１の、キャップ付給油ポンプ。
【発明の詳細な説明】
【０００１】
【発明の属する技術分野】本発明は、給油ポンプをポリタンクに装着する事により、その状態を維持しながら、給油タンクに給油を可能にした、給油ポンプに関するものである。
【０００２】
【従来の技術】従来の給油ポンプでは、給油後にはポリタンクから外さなければならなかった。この時に、手に付いたり、床にこぼれたりする事が皆の嫌がる事であった。
【０００３】
【発明が解決しようとする課題】本発明は、上記に鑑みて、汚さず、簡単に給油が出来る、給油ポンプを提供するものである。
【０００４】
【課題を解決するための手段】上記課題を解決するべく給油ポンプが本発明で、その構成を説明すると、給油ポンプ１の夫々のホースの上部と下部に、キャップ２、３を取り付ける事により、ポリタンクに装着、維持可能になる。
【０００５】
【発明の実施の形態】次に、本発明の実施の形態を述べると、図１に示すように、給油ポンプ１の夫々のホースの上部と下部に、キャップ２、３を取り付け、これを、図２に示すように、ポリタンク４に装着する。この状態が、未使用時の状態である。使用時の状態が図３で、給油タンク５の給油口に、給油ポンプのキャップ３を置く事により給油が出来る。給油が終えたら、キャップ３をポリタンクに戻して蓋をする。このようにする事により、給油ポンプ１をポリタンク４から外すことなく給油が出来る。又、キャップ３の下部の淵部と、内側に、磁石板６、７を設ける事により、給油タンク５に給油するとき、キャップ３が給油口に固定されるので、キャップ３が外れる事は無い。
【０００６】
【発明の効果】構成をこのようにする事により、給油ポンプを、ポリタンクに装着状態にして保持できる。よって、取り外さなくてよいから、手が汚れる事もないし、床にたれる事も無い。又、取り外しがない分、簡単で、早く給油が出来る。それに、キャップに磁石板を設けてあるので、給油の際、キャップが外れたりする事が無いので、安心して手を離していられる。又、ポンプ部を電動にしても、使用は同様である。
【図面の簡単な説明】
【図１】キャップを取り付けた状態の、本発明給油ポンプの正面図である。
【図２】ポリタンクに装着した状態の、本発明給油ポンプの正面図である。
【図３】給油タンクに給油状態の、本発明給油ポンプの正面図である。
【図４】キャップ３の縦断面図である。
【符号の説明】
１  給油ポンプ
２  キャップ
３  キャップ
４  ポリタンク
５  給油タンク
６  磁石板
７  磁石板
【図１】
2004245208.tif 000003
【図２】
2004245208.tif 000004
【図３】
2004245208.tif 000005
【図４】
2004245208.tif 000006
(57)【要約】【目的】引戸用の錠のレバーが取り外し出来ることによって、レバー無し時の開錠が困難になり、防犯に役立つ引戸用の錠ある。【構成】（１）錠本体と、（２）取り外し式レバー凹（３）取り外し式レバー凸からなり、（１）錠本体に（４）レバー取り付け軸または、（５）レバー取り付け孔を設けレバーの取り外しを可能した物である。【選択図】  図１
2004245016.tif 000002
【特許請求の範囲】
【請求項１】
引戸用の錠のレバーが取り外し出来ることによって、レバー無し時の開錠が困難になり、防犯に役立つ引戸用の錠ある。
【発明の詳細な説明】
【０００１】本発明は、引戸用の錠のレバーが取り外し出来ることによって、レバー無し時の開錠が困難になり防犯に役立つ引戸用の錠である。
【０００２】従来空き巣など建物への侵入犯罪は、錠周辺の窓ガラスを割り開錠してからの窓からの侵入が多数をしめておりす。
【０００３】引戸用の錠をレバーなし状態にして、開錠を困難にすることによって、窓ガラスを割る前と割った後に侵入をあきらめる二通りの防犯に役立つ引戸用の錠である。
【０００４】本発明を図で説明すると、（１）錠本体と、（２）取り外し式レバー凹（３）取り外し式レバー凸からなり、（１）錠本体に（４）レバー取り付け軸又は、（５）レバー取り付け孔を設けてレバーの取り外しを可能した物である。
【図面の簡単な説明】
【図１】本発明の簡略図
【符号の説明】
（１）錠本体
（２）取り外し式レバー凹
（３）取り外し式レバー凸
（４）レバー取り付け軸
（５）レバー取り付け孔
【図１】
2004245016.tif 000003
(57)【要約】【課題】メッシュ筋用スペーサーの形状を生産性の良いものに改良して製造原価を低減する。【解決手段】１本の鋼線を独創的な形状にプレス加工する。【選択図】        図１
2004245013.tif 000002
【特許請求の範囲】
【請求項１】
スラブの補強用鉄筋の一種であるワイアーメッシュのかぶりを確定するための特徴的な形状を有する金物。
【発明の詳細な説明】
【０００１】
【発明の属する技術分野】
本発明は、鉄筋コンクリート造の建築物に関する。かかる建築物におけるコンクリート床の施工に際してデッキプレートを使用したときのスラブの補強用鉄筋は、一般的にワイアーメッシュ使用する。このワイアーメッシュのかぶりを確定するための金物に関する。
【０００２】
【従来の技術】
従来、ワイアーメッシュ用のスペーサーはワイアーメッシュの持つ弾力性ゆえに作業中にスペーサーが外れないようにワイアーメッシュに確実に取り付かせるための逆Ｕ字形のバネ質を有する部品がスペーサー本体の上に接続されている。その接続方法は、スペーサー本体が鋼線で作られているときは溶接により、またスペーサー本体がコンクリート製の場合は埋め込みによる。このように２個の部材を接続するための製造工程があるので生産性は低下し、必然的にその製造原価も高いものとなっている。
【０００３】
【発明が解決しようとする課題】
従来のメッシュ筋用スペーサーと全く変わらない機能を有し、尚且つ上述のごときの接続工程を省いてワイアーメッシュに取り付く部分と本体部分を一体化したスペーサーを製造することにより生産性を向上し、従来のものより製造原価を下げることである。
【０００４】
【課題を解決するための手段】
本発明者は鋭意研究した結果、ワイアーメッシュに確実に取り付き尚且つ正確なかぶりを確保することのできる鋼線スペーサーを造ることに成功した。この金物は、一本の鋼線をプレス加工により独創的な形状に加工することで完成した。
【０００５】
以下、本発明を図に従い、詳しく説明する。
図１は本発明による金物をワイアーメッシュの交差部に取り付けたときのイメージ図である。ここで符号１は本発明による金物本体、符号２は本金物の中央の曲部で符号５のメッシュ筋の下筋に引っかかる部分、符号３はやはり本金物の曲部で符号６のメッシュ筋の上筋に引っかかる部分、符号４は本金物の水平部で若干外開きになっており据付けたときの安定性に寄与している。
図２は図１のイメージ図を側面から見た図である。ここで符号７は符号８のデッキプレート面から符号５のメッシュ筋の下筋までの高さであり通称「かぶり」と呼ばれている寸法である。符号９は図中右方向の作用力、符号１０は同じく左方向の作用力である。メッシュ筋にスペーサーを取付けた後もメッシュ筋の上ではいろいろな作業が行われるが、その中で符号９のような右方向の力が働いたときは符号２の曲部がその力を受けるのでスペーサーが転ぶことはない。また符合１０のような左方向の力が働いたときは符号４の水平部がその力を受けるのでやはりスペーサーが転ぶことはないのである。
【０００６】
【実施例】
線径５ｍｍの鋼線を使用して上述のごときの形状を有する本発明によるスペーサーを製作し、これを線径６ｍｍの鋼線を１００ｍｍピッチで格子状に組み上げた縦長２ｍ、横長１ｍのワイアーメッシュに、縦方向には９０ｃｍの間隔で３個、また横方向には８０ｃｍの間隔で２個の割合で合計６個取り付け、そのワイアーメッシュの上で意識的に不規則な歩行を繰り返して試験品への影響を調べた。その結果、試験品の変形もなくまた試験品が転ぶこともないことが確認された。
【０００７】
【発明の効果】
従来のメッシュ筋用スペーサーの生産性は、作業者１人当たりで１日に８００〜１０００個であったが、本発明によるスペーサーは同一条件において３０００個以上であった。その結果大幅な製造原価の低減が達成された。
【図面の簡単な説明】
【図１】本発明による金物をメッシュ筋に取り付けたときのイメージ図。
【図２】図１の状態を側面から見たときの図。
【符号の説明】
１，  本発明による金物本体
２，  金物中央部の曲部
３，  ワイアーメッシュの上筋に引っかかる金物の曲部
４，  金物の水平部
５，  ワイアーメッシュの下筋
６，  ワイアーメッシュの上筋
７，  かぶりの寸法。
８，  デッキプレート
９，  右方向に作用する力
１０，左方向に作用する力
【図１】
2004245013.tif 000003
【図２】
2004245013.tif 000004
(57)【要約】【目的】消雪パネル板で雪、氷を溶かす色々な場所に敷、仮設道路とも成ることと軽量と故障時簡単修理も出来ることを提供することにある。【構成】ボイラー等で加熱された熱湯を耐圧ホースで送湯し、消雪パネル板に流し、雪、氷を溶かすことと仮設の道路に成る。消雪パネル板は軽量化と故障時簡単修理出来るように金属板を上部と下部に設け中間部にゴム、合成樹脂を挟み付けボルト、ナットで締め付ける構成。【選択図】    図１
2004245011.tif 000002
【特許請求の範囲】
【請求項１】
金属板を上部と下部に設け、中間部にゴム、合成樹脂を挟み付けボルト、ナットで締め付けたことと左、右、前後に入口、出口にバルブ、コックと中空管にネジ込みバンド、連結、接合も出来る構造を特徴とする消雪パネル板の製造方法。
【発明の詳細な説明】
【０００１】
【発明の属する技術分野】
本発明は消雪機に関する。
【０００２】
【従来の技術】
従来は消雪パネル板は電流を流し熱を発生させる物、中空管の中をお湯、蒸気を通す。熱を発生させる、消雪パネルが多い。
【０００３】
【発明が解決しようとする課題】
しかしながら消雪パネル板に重量が係ると中部に設けられる電流発熱体は切れ、中空管の潰れることで使用不能となる不利がある。
【０００４】
【課題を解決するための手段】
本発明は消雪パネル板に重量が係り事故等により破損、使用不能と成るため、故障に強い請求項１記載構成を提供することで上記課題を解決する。
【０００５】
【実施例】
本発明の消雪パネル板は図１に示される加熱用ボイラーから送られる、熱湯を消雪パネル板に流し消雪パネル板に乗った雪を消す構成。
【０００６】
本発明の消雪パネル板は図２に示される金属板を上部と下部に設け、中間部にゴム、合成樹脂を挟み付け熱湯を外に漏れないように金属上部板、ゴム、合成樹脂、金属下板を穿設ボルト、ナットで締め付ける構成。
【０００７】
本発明は消雪パネル板は連結出来るために消雪パネル板の左、右、前後に入口、出口にバルブ、コックと中空管にネジ込みバンドを設けられる構成から成る。
【０００８】
【発明の効果】
本発明は上述の通り構成されているので、次に記載する効果を奏する。
（イ）雪、氷など持ち運びをしないで消雪できる。
（ロ）消雪場所に自由に移動出来て組立られる。
（ハ）消雪パネル板は軽量に出来る。
（ニ）破損故障時は簡単に修理出来る。
【０００９】
【図面の簡単な説明】
【図１】本発明に係る、消雪パネル板の一部断面図の概観図である。
【図２】本発明に係る、側面図、断面図の概観図である。
【符号の説明】
１      上部金属板
２      下部金属板
３      ゴム、合成樹脂
４      ボルド
５      ナット
６      バルブ、コック
７      中空管（ネジ込み）
【図１】
2004245011.tif 000003
【図２】
2004245011.tif 000004
(57)【要約】【課題】車庫のスペースを狭めることなく、安価で簡単に取り付けられ、しかも車庫内の結露の発生自体も少なくできる車庫の結露水滴受け具を提供する。【解決の手段】既設の波型鋼板製車庫の組立て用ボルト（７）に装着できるように形成された複数のツナギ具（５）と、このツナギ具（５）を介して吊り上げられた前記波型鋼板製車庫の天井から滴る結露を受け取るためのシート（４）からなることを特徴とする車庫の結露水滴受け具。【選択図】      図１
2004245019.tif 000002
【特許請求の範囲】
【請求項１】
既設の波型鋼板製車庫の組立て用ボルトに装着できるように形成された複数のツナギ具と、このツナギ具を介して吊り上げられた前記波型鋼板製車庫の天井から滴る結露を受け取るためのシートからなることを特徴とする車庫の結露水滴受け具。
【発明の詳細な説明】
【０００１】
【発明の属する技術分野】
この発明は、波型鋼板製車庫の屋根（１）の直下にシート（４）を張りつけた車庫の結露水滴受け具に関するものである。
【０００２】
【従来の技術】
従来より、鋼板製の車庫は結露し易く、この結露した水が水滴とにって落下し車や物を濡らしてしまう。
車や物が結露水滴で濡れないようにするには物体を直接覆うか、または車庫内に柱を立てコンパネやボード或いはシートなどで結露水滴を遮り物体に当らないようにする方法が一般的である。
【０００３】
【発明が解決しようとする課題】
これには、次のような欠点があった。
（イ）いちいち物体に覆いをするには手間がかかる。
（ロ）車庫内に柱を立てるとスペースが狭くなり、費用もかかる。
本発明は、これらの欠点を解決するために発明されたものである。
【０００４】
【課題を解決するための手段】
既設の波型鋼板製車庫の組立て用ボルト（７）にツナギ具（５）を取り付け、これにシート（４）を張りつけたことを特徴とする車庫の結露水滴受け具。
【０００５】
【発明の実施の形態】
以下、本発明の実施の形態について説明する。
（イ）波型鋼板製の車庫は組立て用ボルト（７）とナット（８）で鋼板をつなぎ合わせて組立てられている。
（ロ）ツナギ具（５）の片側は、組立て用ボルト（７）に連結できるようネジを設ける。また、もう一方の側には張りつけたシート（４）を支えるシート支えネジ（６）がセットできるネジ穴を設ける。
ツナギ具（５）の長さはシート（４）の傾斜や集合排水路（９）を作るための数種類用意する。
（ハ）シート（４）の張りつけは、図２、図３のように屋根（１）の直下に空間を設け、組立て用ボルト（７）に連結したツナギ具（５）に張りつけ、シート支えネジ（６）で固定する。
この時、シート（４）の傾斜の向き及び集合排水路（９）の位置はツナギ具（５）の長さの組み合わせにより任意の場所にすることができる。
本発明は以上の構成からなっている。
【０００６】
【発明の効果】
本発明によって、次のような効果がある。
（イ）車庫のスペースを狭めることなく、結露水による濡れを防止できる。
（ロ）比較的安価でしかも一人で簡単に取り付けられる。
（ハ）屋根直下のシートにより車庫内の温度及び湿り気をおさえ結露の発生自体を少なくする。
【図面の簡単な説明】
【図１】本発明の斜視図である。
【図２】本発明の図１のＡ−Ａ断面図である。
【図３】本発明の図１のＢ−Ｂ断面図である。
【符号の説明】
１  屋根
２  側壁
３  後壁
４  シート
５  ツナギ具
６  シート支えネジ
７  組立て用ボルト
８  ナット
９  集合排水路
【図１】
2004245019.tif 000003
【図２】
2004245019.tif 000004
【図３】
2004245019.tif 000005
(57)【要約】      （修正有）【課題】従来のベランダ等、据え置き型のウッドデッキはスノコ状の物を幾つも繋ぎ合わせて構成するか、下部材を敷いた上に天板を貼り付けた一体型の構造の物であった。個々の物を繋ぎ合わせる物は固定しなければ、ずれたり、ガタを生じたりした。又、一体型の物は現場での工事が必要になる。この様な状況を全て解決し、必要に応じて敷き広げて使用し、簡単に丸めて片づけることが出来る丸めるウッドデッキを開発することにある。【解決手段】基本板６を何枚かと、最終板を１枚２本の固定紐５をで繋ぎ合わせる事により１枚のウッドデッキを構成し、固定紐５を締めたり、緩めたりする事により、このウッドデッキを敷きつめたり、簡単に丸めて片づけることが出来る。【選択図】図４
2004245014.tif 000002
【特許請求の範囲】
【請求項１】
図１の様に、天板１は右側の縁の上部半分を削り取り、左側の縁は下部を半分削り取り図１、図２の様に、天板１の側面に２カ所の穴又は切り込み３を設けたものである。次に図１、図２の様に足板２を天板１の底面の左辺に沿って貼り付けた物である。これが、基本板６である。
次に、基本板６を数枚と、図３の様に、基本板Ａの底面の右辺に沿って補助足板４を貼り付けた最終板７を１枚、図４、の様に並べ、２本の、穴又は切り込み３にそれぞれ左側から順に，左端に結び目を作った固定紐５を通し、数枚の基本板６と１枚の最終板７を繋ぐ、固定紐５を締めたり緩めたりすることにより、１枚のウッドデッキを丸めたり、広げたり出来る様にした丸めるウッドデッキ。
【請求項２】
図６の様に、基本板６及び最終板７に設けた２カ所の穴又は切込み３を４カ所設け、固定紐５を互い違いに通す事により図８の様にウッドデッキ同志を繋ぐことが出来る様にした、丸めるウッドデッキ。
【発明の詳細な説明】
【０００１】
【発明の属する分野】
本発明は据え置き形のウッドデッキを本来の強度、風格を失わないよう、丸めたり、広げたり、出来る様にし移動を可能にする事に関する。
【０００２】
【従来の技術】
従来、据え置き形のウッドデッキにおいては、すのこ状の物を並べるか、現場にて各部材を組立る工事を行なうしか無かった。
【０００３】
【発明が解決しようとする課題】
従来の据え置き型のウッドデッキは、構造物であり、構造物のままで販売すると輸送が困難であり、部材で輸送すると、組立費がかかり、店頭販売出来るようなの物ではない。又、すのこ状の物を何枚も並べる物は固定すると取り外して掃除をする事が出来ず、固定しないと動いてずれてしまう。したがって、強度や機能を失わなず、簡単に丸めたり、広げたり出来、工事費もいらないウッドデッキを開発する事にある。
【０００４】
【課題を解決するための手段】
以上のような目的を達成するために、図１の様に、天板１と、穴又は切り込み３足板２とからなる数枚の基本板６と基本板６と補助足板４からなる一枚の最終板７と固定紐５を図４の様に配置し、固定紐５を締める事により、基本板６の最初の右側の側面の下部の突起と、次の基本板６の左側の上部の突起と足板２が作る溝にはまり基本板６同志は固定されてゆく、そして最終板７の底に設けた補助足板４により最終板７の天板１の右側を支えている。又、その時、穴又は切り込み３、に固定紐５が通っているため、基本板６及び最終板７の横ずれも無い様にした。
【０００５】
【発明の実施の形態】
以下、本考案の一実例を図面に従って説明すると、図４、図５の通り数枚の基本板６と１枚の最終板７に設けられた２カ所の、穴又は切込み３に固定紐５によって構成される。
【０００６】
図１、図２の様に、基本板６は天板１の右側の縁を上部を半分削り取り、左側の縁は、下部を半分削り取りる。又、天板１の側面に２カ所の穴又は切込み３を設ける。以上の様に加工した天板１の底面に足板２を左側に沿って貼り付けた物である。又、図３の様に、最終板７は基本板の底面の右側に沿って補助足板４を貼り付けた物である。
【０００７】
次に、図４の様に数枚の基本板６と１枚の最終板７を並べ２カ所の穴又は切込み３に、左端に結び目を作った２本の固定紐５を、それぞれ左側の基本板６から順番に通し、数枚の基本板６と１枚の最終板７を繋ぐ。図５の様に、固定紐５を締めて固定クリップ８等で固定することにより、１枚の据え置き型のウッドデッキとして使用出来る。又、固定紐５を緩めることにより、このウッドデッキを丸めて、片づけたり、移動することが出来る。
【０００８】
又、図６の様に基本板６及び、最終板７の天板１の２カ所の穴又は切込み３を４カ所設け、固定紐５を交互に通す事により図７の様にウッドデッキどうしを連結させることが出来る。
【０００９】
【考案の効果】
この考案によると、従来、マンション、アパート等のベランダに敷くウッドデのキシミやガタつき等の音を少なくすると共に、敷くことも、片づけることも簡単に出来る。又、１枚のウッドデッキで基本板を増減することにより、広さをいつでも自由に変えることが出来、基本板を交互にずらすことによりウッドデッキ同志を簡単に接続出来る。又、丸めてコンパクトにダンボール等の箱に収納出来るので販売、運搬が楽になった。
【図面の簡単な説明】
【図１】本考案の施行状態を示す一部欠裁平面図、正面図、側面図である。
【図２】本考案の施行状態を示す一部欠裁斜視図である。
【図３】本考案の施行状態を示す一部欠裁斜視図である。
【図４】本考案の一実施例を示す斜視図である。
【図５】本考案の一実施例を示す斜視図である
【図６】本考案の一実施例を示す斜視図である。
【図７】本考案の一実施例を示す斜視図である。
【符号の説明】
１    天板
２    足板
３    穴又は切込み
４    補助足板
５    固定紐
６    基本板
７    最終板
８    固定クリップ
【図１】
2004245014.tif 000003
【図２】
2004245014.tif 000004
【図３】
2004245014.tif 000005
【図４】
2004245014.tif 000006
【図５】
2004245014.tif 000007
【図６】
2004245014.tif 000008
【図７】
2004245014.tif 000009
(57)【要約】【課題】本発明は、書換可能不揮発性メモリを含むエンジン制御用電子回路のセキュリティに関する。【解決手段】本発明は、自動車の整備マニュアル等で公開されている書換可能不揮発性メモリへの書込み可否信号入力用コネクタ端子以外に、非公開のコネクタ端子を１本以上追加し、これらすべての信号が正しく入力されないと書換可能不揮発性メモリへの書込みができないタンパプルーフ回路を含むことを特徴とする。【効果】本発明により、書換可能不揮発性メモリに対する、第三者による不当な書込みを禁止することができ、不当な書込みによって起こり得る電子回路の異常動作等を防ぐことができる。【選択図】  図１
2004245060.tif 000002
【特許請求の範囲】
【請求項１】
フラッシュメモリなどの書換可能不揮発性メモリを内蔵したＣＰＵと、書換可能不揮発性メモリに対するタンパプルーフ回路を含むエンジン制御用電子回路。
【請求項２】
フラッシュメモリなどの書換可能不揮発性メモリと、そのメモリにプログラム等を書込むための電子部品と、書換可能不揮発性メモリに対するタンパプルーフ回路を含むエンジン制御用電子回路。
【発明の詳細な説明】
【０００１】
【発明の属する技術分野】
本発明は、書換可能不揮発性メモリを含むエンジン制御用電子回路のセキュリティに関する。
【０００２】
【従来の技術】
書換可能不揮発性メモリを使用した電子回路においては、その電子回路本来の目的の動作を行うモードと、書換可能不揮発性メモリにプログラム等を書込むモードを切替える機能が必要であり、例えば書換可能不揮発性メモリが内蔵されているＣＰＵにはモード切替え用入力ピンが設けられており、エンジン制御用電子回路においてプログラム等の書込み時には、その入力ピンに、外部から単一のコネクタ端子等および入力回路を通して信号を送っている。
【０００３】
このような従来技術として、以下のような特許文献１，２及び３がある。
【０００４】
【特許文献１】
特開２００２−２９７５６１号公報
【特許文献２】
特開２００２−２９７５６２号公報
【特許文献３】
特開２００２−２９７５６３号公報
【０００５】
【発明が解決しようとする課題】
上記のコネクタ端子等が、自動車の整備マニュアル等により一般に公開されている場合、第三者により不当に書換可能不揮発性メモリへの書込みが行われ、その結果、電子回路が異常動作する可能性がある。
【０００６】
本発明は、第三者による書換可能不揮発性メモリの不当な書込みを禁止する手段に関する。
【０００７】
【課題を解決するための手段】
本発明は、公開されているコネクタ端子以外に、非公開のコネクタ端子を１本以上追加し、それらから入力された信号を、例えば論理積をとる等してからＣＰＵのモード切替え用入力ピンに入力することで初めて書換可能不揮発性メモリの書込みを許可する、タンパプルーフ回路を追加することで、第三者による不当な書込みを禁止することができる。
【０００８】
【発明の実施の形態】
以下、本発明にかかる一実施例を図面に基づいて説明する。
【０００９】
図１は、本発明の実施例の構成概略図であり、大きく分けて、コネクタ端子
ＭＯＤＥ端子１（既公開），ＴＡＭＰ端子２（非公開），チェックロジック回路部３、およびＣＰＵ４で構成される。
【００１０】
書換可能不揮発性メモリ５はＣＰＵ４に内蔵されており、その書込みは、ＣＰＵ４のモード切替え用入力ピンＭＤがＬｏｗの状態でのみ実行できる。
【００１１】
コネクタ端子ＭＯＤＥ端子１とＴＡＭＰ端子２より入力された信号は、チェックロジック回路部３に取り込まれる。共に正しい信号が入力されていれば、通常Ｈｉｇｈ状態であるＣＰＵ４のモード切替え用入力ピンＭＤがＬｏｗとなる信号がチェックロジック回路部３から出力され、書換可能不揮発性メモリ５への書込みが許可される。
【００１２】
ＭＯＤＥ端子１のみ、またはＴＡＭＰ端子２のみ、あるいは両端子ともに正しい信号が入力されなかった場合、チェックロジック回路部３からはＣＰＵ４のモード切替え用入力ピンＭＤがＬｏｗとなる信号は出力されず、書換可能不揮発性メモリ５への書込みは許可されない。
【００１３】
【発明の効果】
本発明により、書換可能不揮発性メモリに対する、第三者による不当な書込みを禁止することができ、不当な書込みによって起こり得る電子回路の異常動作等を防ぐことができる。
【図面の簡単な説明】
【図１】本発明の実施例の構成概略図。
【符号の説明】
１…モード端子（ＭＯＤＥ端子）、２…タンパ端子（ＴＡＭＰ端子）、３…チェックロジック回路部、４…ＣＰＵ、５…メモリ。
【図１】
2004245060.tif 000003
(57)【要約】      （修正有）【課題】建物が壊れてそのものの下敷きになるのを防ぐ。【解決手段】小さい地震が起こるとまえもってリフト横柱上昇スイッチ２９をＯＮにするとバッテリー及び家庭用電源１１により油圧パワーユニット１０をまわして油圧シリンダー５のメッキロッド６を伸ばして、リフト横柱１７，１８を上昇させて大地震にそなえて安全装置となり、又リフト横柱の近くによれば落下物などにより物の下じきとならないよう人をほごするための安全装置で、又リフト横柱上昇スイッチをＯＮにすることができないまま地震となった場合は、地震反応スイッチ２５がＯＮとなりリフト横柱が上昇して安全装置となり、又地震がおさまればリフト横柱はスイッチにより格納する。【選択図】図２
2004245022.tif 000002
【特許請求の範囲】
【請求項１】
この装置は地震により家及びビル及びその他の建物がこわれてその物の下じきになるのをふせぐための物で、この装置の設置範囲は一般の家からビル（１階建て〜５０階建て）又はそれ以上の高層ビルにも、設置範囲を可能としました。
【発明の詳細な説明】
発明が解決しようとする課題
大地震にもたえれるよう力のかかるフレームをＴ型フレーム採用により強度をまして小さい地震から大地震までのゆれを感知して油圧シリンダーからの力をリフト横柱を水平に上昇するように部品をくみこんだ装置です。
〔作用〕
図２のリフトの格納状態へ地震が起こると地震反応スイッチが作用して、バッテリー及び家庭用電源により、油圧パワーユニット▲１０▼で油圧をつくり、図１のように油圧シリンダー▲５▼のメッキロッド▲６▼を伸ばすと、１段リフト横柱▲１７▼を起こして行くと、ちょう板▲２３▼を介して２段リフト横柱が水平に上昇になるように、アーム▲２▼でささえて順次上方にあがります。
この時人はリフト横柱の近くにくれば上方及び側面からの落下物を、リフト横柱が受けて人に物があたらないように保護したり又落下物を上方におしあげて人が物の下じきになるのをふせぐ装置です。
【図面の簡単な説明】
【図１】地震によりリフトが上方におしあげた状態（側面図）
【図２】リフトの格納状態及び符号図（側面図）
【図３】リフトの格納状態（側面図）
【図４】リフトの格納状態（上面図）
【符号の説明】
▲１▼  そこ板
▲２▼  アーム
▲３▼  アームピン
▲４▼  油圧シリンダーピン
▲５▼  油圧シリンダー
▲６▼  油圧シリンダーのメッキロッド
▲７▼  油圧シリンダー及びアーム受台
▲８▼  油圧シリンダーのメッキロッド受台
▲９▼  油圧シリンダーのメッキロッド受台
▲１０▼  油圧パワーユニット
▲１１▼  バッテリー及び家てい用電源
▲１２▼  横柱補強板
▲１３▼  横柱
▲１４▼  １段リフト固定受金具
▲１５▼  １段リフトピン
▲１６▼  １段リフト受金具
▲１７▼  １段リフト横柱
▲１８▼  ２段リフト横柱
▲１９▼  たたみ受柱
▲２０▼  たたみ
▲２１▼  側面立柱
▲２２▼  てん上
▲２３▼  ちょう板
▲２４▼  地面
▲２５▼  地しん反応スイッチ
▲２６▼  ２段リフト受金具
▲２７▼  アームピン
▲２８▼  油圧シリンダー受金具
▲２９▼  リフト横柱上昇及び下げスイッチ
【図１】
2004245022.tif 000003
【図２】
2004245022.tif 000004
【図３】
2004245022.tif 000005
【図４】
2004245022.tif 000006
(57)【要約】【課題】台所流し台の排水口ゴミ取り袋の使用に際してスムーズな排水が行われるゴミ取りネット装着具を提供する。【解決手段】排水詰まり防止用の帯状体（２）（３）（４）を支持環（１）に取り付けたことを特徴とする。【選択図】  図１
2004245007.tif 000002
【特許請求の範囲】
【請求項１】
一端が、支持環（１）に取付けられた帯状体（２）（３）（４）を設け、各帯状体の他端を中央部（５）にて合体させたことを特徴とするゴミ取りネットの装着具。
【発明の詳細な説明】
【０００１】
【発明の属する技術分野】
この発明は、台所流し台の排水口に使用されるゴミ取りネットの装着具に関するものである。
【０００２】
【従来の技術】
従来のゴミ取りネットの使用法は小穴、或いは網目のついたバスケットに装着するのが一般的方法であった。また、不潔さを避けるためバスケットを外してゴミ取りネットのみで使用するケースも多い。
【０００３】
【発明が解決しようとする課題】
これには、次のような欠点があった。
（イ）バスケットを使用した場合、食材の腐敗や発酵した汚れがバスケットにヌルヌルした状態で付着しゴミ袋の交換毎に不快感が伴った。
（ロ）バスケット抜きでゴミ袋のみで使用する場合、ゴミ袋の底部に堆積したゴミ部が排水孔（７）或いは底辺全体を塞ぐため水はけが悪くなったり水詰まりを起こし、大量に水を流した場合流し台に汚水が溢れる事もあった。
その為ゴミが十分溜まらない内にゴミ袋の交換が必要となり不経済であった。
本発明は以上の欠点を解決するためになされたものである。
【０００４】
【課題を解決するための手段】
支持環（１）に帯状体（２）（３）（４）の一端を取付ける。各帯状体の他端を中央部（５）にて合体させる。
本発明は以上の構成より成る台所流し台排水口用ゴミ取りネットの装着具である。
【０００５】
【発明の実施の形態】
以下、本発明の実施の形態を説明する。
ゴミ取り網を上部より支持環（１）の中に入れ、ゴミ取り網の上辺部を支持環（１）の外周に折り返す。ゴミ取り網が装着された支持環（１）を流し台排水筒（６）にセットする。本発明の使用時食材の滓が入れられると、各帯状体の間よりゴミ袋底部へと堆積し始める。その際、排水孔（７）とゴミ袋底部の間、及び各帯状体と排水筒の間に空隙が形成されている為排水の流れ滞ることがない。そのため食材滓がゴミ袋上部まで溜まってもスムーズな排水がおこなわれる。帯状体の数は増減してもよい。
【０００６】
【発明の効果】
本発明を使用することによって、汚れ易いバスケットが撤去され、食材滓が満杯になるまで排水が効率良くおこなわれる。
【図面の簡単な説明】
【図１】本発明の斜視図
【図２】本発明の平面図
【図３】本発明使用時の参考図
【符号の説明】
１  支持環
２  帯状体
３  帯状体
４  帯状体
５  中央部
６  排水筒
７  排水孔
８  ゴミ取り網
【図１】
2004245007.tif 000003
【図２】
2004245007.tif 000004
【図３】
2004245007.tif 000005
(57)【要約】【課題】超音波を用いて物体の破壊等を検出すること。ただし検査の度に超音波振動子に触れたり、複雑な信号処理を行なったりしない。【解決手段】調べる物体（５）に超音波振動子（４）をとりつけたままにしておき、検査する度に同じ時間波形の超音波を送る。超音波は物体中を伝播し、その一部は端面等で反射して超音波振動子へと戻る。正常時の受信波形をあらかじめ記憶装置（９）に記録しておく。物体に破壊等の異常が生じると受信波形が変形し、信号処理回路（８）において正常時の波形と簡単な比較を行なうことで異常が検出される。【選択図】  図１
2004245812.tif 000002
【特許請求の範囲】
【請求項１】
調べる物体に超音波振動子をとりつけたままにしておき、検査する度に同じ時間波形の超音波を物体中へ送り、その受信波形を正常時のものと比較することで破壊等の異常を検出する方法。
【発明の詳細な説明】
【０００１】
【発明の属する技術分野】
この発明は超音波を用いて物体の破壊等を検出する方法に関するものである。
【０００２】
【従来の技術】
従来、超音波を用いて物体の破壊等を検出する方法においては、超音波振動子を含む検査装置一式が物体と別々の構造となっていた。この為、検査する度に超音波振動子を物体に対して正しく配置する必要があり、この方法を利用するにはある程度の技術知識が必要であった。
また、ひとつの超音波振動子から物体中へ送られて伝播する超音波には圧縮波、せん断波、表面波等の複数の成分が存在し、それらが減衰、反射、回折等しながら物体中の観測位置に到達したものが重なりあったものである受信波形は複雑な形をしている。従って物体中の超音波の伝播についての物理的知識なしではこの様な受信波形を解釈することが困難である。その為、この方法においては受信波形について複雑な信号処理を行う高価なソフトウエアが必要であった。
【０００３】
【発明が解決しようとする課題】
そこで検査の度に超音波振動子に触れる必要がなくしかも複雑な信号処理を行わない、超音波を用いて物体の破壊等を検出する方法を発明した。
【０００４】
【課題を解決するための手段】
本発明を図１について説明すれば、まず調べる物体（５）に超音波振動子（４）をとりつけたままにしておく。検査する度に同じ時間波形の電気信号を発振回路（１）から送信側の増幅回路（２）に送り、一定の率で増幅する。この電気信号をスイッチング回路（３）から超音波振動子へ送る。超音波振動子は物体に取り付けられたままなので、毎回同じ時間波形の超音波が物体中へ送られる。そして減衰や回折をしながら物体中を伝播して、その一部は端面等で反射して超音波振動子へと戻って来る。超音波振動子において電気信号に変換された受信波形をスイッチング回路から受信側の増幅回路（６）へ送り、一定の率で増幅する。この信号をＡ／Ｄ変換器（７）へ送ってデジタル化したものを信号処理回路（８）へ送る。物体が正常な時にあらかじめこの受信波形を記憶装置（９）に記録しておく。検査の度に信号処理回路において受信波形を正常時のものと比較する。物体に破壊等の異常が生じると、その部分で超音波の反射や回折等が新たに起こって受信波形が変形し、正常時に記録しておいたものと異なった形となるので異常が検出される。物体に生じる破壊等の異常の例として、破断や変形、何者かによる穴あけ等の加工、外部からは見えない内部亀裂、その他の機械的な異常を挙げておく。
また、スイッチング回路に複数の超音波振動子を接続して自動的に切り換えていき、複数の物体を順々に検査することも可能である。もしくはスイッチング回路と超音波振動子の接続を取り外せる様にして、検査が必要な時のみ電気・電子回路側を超音波振動子に接続することも可能である。いずれの場合においても複数の物体・超音波振動子側に対して一組の電気・電子回路側があれば良くて経済的である。
【０００５】
【発明の実施の形態】
超音波振動子は物体中の全域に超音波を送ることが出来る位置と向きに取り付ける。超音波振動子から離れた位置に物体の破壊が生じた場合においてもその部分で反射や回折等した超音波が受信されなくてはならない為、充分な出力で超音波を送り出す必要があり、これに対応した出力をもつ送信側の増幅回路と超音波振動子を使用する。もしも物体が大きい場合や形状が複雑な場合は複数の超音波振動子を取り付けてもよい。また、送信用と受信用の超音波振動子に分けてそれぞれを取り付けてもよいし、複数の超音波振動子を時間差で送信用と受信用に切り替えてもよい。
超音波振動子の物体への取り付けはネジ止め等の機械的方法や接着等によってその表面に行っても良いし、内部に埋め込んでも良い。この際に超音波振動子の発振面を物体に密着させなくてはならないが、必要があれば間に接着剤等を塗布する。また、密着部が緩んだりその接触圧が下がらないように、使用期間において劣化しない接着剤等を選んだり、緩まない様にネジを締める等の注意が必要である。
信号処理回路において検査の度に受信波形と正常時の波形とを比較する方法の例として、同一時間における互いの値どうしの差を求め、これについて絶対値をとるか２乗をとり、これを時間で積分した値がある閾値以上の場合は物体に破壊等の異常が生じたと判断するものを挙げておく。この方法の利点としては物体中の超音波の伝播についての物理的知識が必要でないこと、計算が簡単なこと、実時間処理が行い易いことがある。その他の簡単な方法で波形を比較しても良い。閾値が小さいほど物体の破壊等の異常に対して敏感となる。はじめに超音波振動子を物体に取り付けた時に、小さ過ぎて誤作動しない程度の大きさにこの値を設定する。また、なんらかの原因で受信波形の振幅が変動する場合や月日とともに減少していく様な場合は信号処理回路においてこの振幅を規格化してから比較してもよい。
【０００６】
【発明の効果】
本発明の効果は検査する度に超音波振動子に触れる必要がない点と、複雑な信号処理を行わない点である。また、超音波振動子の取り付けを含む全体の設定を行った後は無人の状態で検査を行い続けることが可能である。
本発明はこの様なしくみであるから、以下の様に使用することが出来る。
建物や乗り物の窓ガラス、金庫等に適用してこれらが壊れたことを検出することで防犯に用いる。
原子力発電所の放射線管理区域内の構造物に取り付けておき、内部亀裂等の異常がないかを自動で常時監視する。
複雑な形状をしているために従来の方法では受信波形の信号処理が困難な物体の破壊等の異常の検出。
その他、物体に生じる破壊等の異常の検出。
【図面の簡単な説明】
【図１】超音波を用いて物体の破壊等を検出する方法の図である。
【符号の説明】
１  発振回路
２  送信側の増幅回路
３  スイッチング回路
４  超音波振動子
５  調べる物体
６  受信側の増幅回路
７  Ａ／Ｄ変換器
８  信号処理回路
９  記憶装置
【図１】
2004245812.tif 000003
(57)【要約】【課題】機能化処理した水と無処理水との差を検出評価する装置が従来なかった。【解決手段】遠赤外線放射セラミックス処理等を施した水はそうでないものに比し、密閉容器内で加熱蒸発さすとその容器内の蒸気圧がより早く上昇することが判明した。その測定された蒸気圧値より水の機能化の水準を評価することが本装置によって可能となった。【選択図】    図１
2004245810.tif 000002
【特許請求の範囲】
【請求項１】
保温容器に納められた蓋付の密閉圧力容器に測定対象の試料水を所定量入れ、該圧力容器内の前記試料水を所定出力の電熱ヒーターで加熱蒸発させ、経時的に該圧力容器内の蒸気圧、蒸気温度、及び試料水温度を計測し、この計測値より機能水のクラスター状態を把握することを特徴とする機能水分析装置。
【発明の詳細な説明】
【０００１】
【発明の属する技術分野】
本発明は水溶液（以下水と略記する）中の水分子の会合状態を分析する装置に関する。
【０００２】
【従来の技術】
通常、水中の水分子は水分子単独で存在するのではなく、いくつかの水分子同志がいくつか集まった集団より成ると推定され、その集団をクラスターと呼んでいた。最近そのクラスターの水分子数が多い集団の水か、そうでないかによって水の性質が変わってくると言うことが次第に水の示す現象より推定されて来ていた。その水のクラスターの違いはその水がどのように処理されたかに起因するらしいことも判って来ていた。しかしながら従来、その水のクラスターを分析する装置が存在しなかった。
【０００３】
【発明が解決しようとする課題】
本発明は従来なかった水中のクラスターを分析することを安価に簡易な装置で可能とするための方法とその装置を提供するものである。
【０００４】
【課題を解決するための手段】
本発明は市水を逆浸透膜で濾過した後、イオン交換樹脂処理した水（以下純水と略記する）を対象とし、従来市水等を遠赤外線放射セラミックスで接触処理するとその水は新たな機能を生ずることが知られていた。ここで述べる新たな機能とは例えば市水を使ってそのまま米を電気釜で炊いたものと市水を上記のように遠赤外線放射セラミックス処理した後にその水を使って同様に電気釜で炊いたものとでは後者の炊飯米の方が前者よりも糖度が増し、そのため味も良くなるのみならず、粒度が向上したものとなることが経験的に判明していた。このように市水と市水を遠赤外線放射セラミックス処理した水との差はどうも水のクラスターの差によって発生していると推定出来るが、そのクラスターの差はどのようにしたら計測できるのか本発明者等は種々実験的検討を試みた。その結果水中の水分子のクラスターの差が水の蒸発速度や結果として特に顕著に密閉容器中の蒸気圧の差になって計測できることが判明したのである。そのため本発明者等は上記の純水そのままのものと、同じく純水を遠赤外線放射セラミックス処理したものとの両者を比較対象として本発明の水蒸発圧力測定装置、即ち機能水分析装置で本装置内の密閉容器内の蒸気圧力を測定したところ、純水そのままのものと遠赤外線放射セラミックス処理したものとでは後者の方がその蒸気圧が高いことが判明したのである。その結果本発明をするに至った。参考までに純水を遠赤外線放射セラミックス処理しても純水中には遠赤外線放射セラミックスの溶解は水質分析の測定からもなかったことを確認している。
【０００５】
【発明実施の形態】
本発明の実施の形態の一例を図１に示す。
本発明の機能水分析装置の装置構成は以下の通りである。分析対象の「水」を放熱を防ぐ断熱材より成る保温箱（４）内の圧力容器内（３）に１５０ｇ（精度０．０１ｇまで計測）正確に計量し注いだ後、内固定具（２１）及び外固定具（１６）で確実に締め付け密閉する。前記圧力容器（３）内には電気により水を加熱する発熱体（１８）、空間の蒸気を測定する圧力センサー（２０）、ガス温度センサー（１１）、及び液温度センサー（１０）各々が設置されている。更に前記圧力容器（３）の下部には、圧力容器（３）を保温箱（４）の所定の位置に置くと電気が接点（１７）を通して発熱体に通ずるように端子が設けられているので前記圧力容器（３）に分析対象試料水を注入した後所定の位置に置かれたことを確認の後、電気のスイッチ（２３）を入れ通電即ち試料水の加熱をスタートすると通電開始後の圧力容器（３）内の試料水の液温、蒸気温、蒸気圧の各々は測定用センサーとパソコンの通信ケーブル（１３）を通しパソコン（１５）で記録・解析される。その時のデータを図２に示す。図中には純水そのままのものと、同じ純水を遠赤外線放射セラミックス処理したものとを上記の機能水分析装置で計測した結果が示されている。この結果から次の事が読みとれる。
（イ）遠赤外線放射セラミックス処理した方が圧力容器内の液温の上昇が速く、かつ蒸気圧も高い。
（ロ）測定対象の水は純水そのままのもの（電気導電率０．３０ｓ／ｍ）とその純水を遠赤外線放射（接触）処理したもの（電気導電率０．３０ｓ／ｍ）とであるため図２による両者の蒸気圧の差は遠赤外線放射処理による効果である。
（ハ）従来より水の遠赤外線放射によって水に機能が生ずることが論じられ、それは水を構成する水のクラスターが小さくなることが推定されていた。そのため本データの結果は機能水とそうでないものが本発明の機能水分析装置によって蒸気圧の差として計測される結果と言える。
【０００６】
【作用及び効果】
水に遠赤外線放射と通常呼ばれる弱い電磁波を放射するセラミックスとの接触処理を施すと対象水中の水分子のクラスター（水単分子をブドウの一粒とみなし、その水単分子がブドウの房状にいくつかゆるく結合した状態を言い、この結合した水分子の数が多い状態をクラスターが大きい、その逆に少ない状態をクラスターが小さいと表現している。）が小さくなると推定されている。水のクラスターが小さくなるとその水の煮物（例えばお米）への浸透性が高まる結果、たき上がった炊飯米の含水量が向上する等の現象を示していた。即ち水分子の浸透性等が高まると推定されていた。本発明による機能水分析装置に速赤外線放射セラミックス処理して得られた機能水を密閉容器内で所定の熱エネルギーを与えるとそうでないものと比し異なった蒸発もしくは蒸気圧を示すだろうと推定されたため本発明の装置構造として実験したところ、その推定された結果が示されたのである。尚本機能水分析装置の電源ヒーター、スイッチ、圧力容器、保温箱等の構造は実施例にこだわるものではない。本発明の考え方を投影するものであれば形状、構造等を特にこだわるものでもない。
【図面の簡単な説明】
【図１】装置の概要
【図２】装置の測定例
【符号の説明】
１  機能水分析装置
２  保温箱蓋
３  圧力容器
４  保温箱
５  加熱電源
６  耐熱電線
７  対象水
８  圧力指示計
９  温度測定器（液温度用）
１０  液温度センサー
１１  ガス温度センサー
１２  温度測定器（ガス温度用）
１３  測定器とパソコンの通信ケーブル
１４  インターフェイス
１５  パソコン
１６  外固定具
１７  接点
１８  発熱体
１９  空間
２０  圧力センサー
２１  内固定具
２２  内蓋
２３  スイッチ
２４  圧力測定器
２５  電圧測定器
２６  電流測定器
【図１】
2004245810.tif 000003
【図２】
2004245810.tif 000004